(57)【要約】【課題】まっすぐに伸ばした状態での接合および敷設作業をすることができる遮水シートおよびその敷設方法を提供することである。【解決手段】遮水シート１は、シート本体２の上面に幅方向へ沿って伸びた浮体３が吊り下げ具６で取外自在に取り付けられ、前記の浮体３はシート本体２の長さ方向に適宜間隔ごとに取り付けられたことを特徴とする構成であり、前記吊り下げ具６はシート本体２から上方へ向かって外側に傾斜している。【選択図】　図１
2004097960.tif 000002
【特許請求の範囲】
【請求項１】
シート本体の上面に幅方向へ沿って伸びた浮体が吊り下げ具で取外自在に取り付けられ、前記の浮体はシート本体の長さ方向に適宜間隔ごとに取り付けられたことを特徴とする遮水シート。
【請求項２】
吊り下げ具はシート本体から上方へ向かって外側に傾斜したことを特徴とする請求項１に記載の遮水シート。
【請求項３】
シート本体の上面に幅方向へ沿って伸びた浮体を吊り下げ具で取外自在に取り付けて遮水シートを形成し、該遮水シートを複数水中に浮かせた後、隣接する遮水シートの長さ方向の端縁間に台船を浮かせ、該台船を傾斜させて一方の長辺側を水中に沈めて、その上面に一方の遮水シートの長さ方向の端部を引き上げるとともに、前記とは反対側に台船を傾斜させて他方の長辺側を水中に沈めて、その上面に他方の遮水シートの長さ方向の端部を引き上げた後、これらの遮水シート同士を接合し、この接合した遮水シートを沈設することを特徴とする遮水シートの敷設方法。
【請求項４】
吊り下げ具はシート本体から上方へ向かって外側に傾斜したことを特徴とする請求項３に記載の遮水シートの敷設方法。
【発明の詳細な説明】
【０００１】
【発明の属する技術分野】
本発明は遮水シートおよびその敷設方法に関するものである。
【０００２】
【従来の技術】
海や湖沼の水面を埋立護岸で所定の大きさに区切った領域に廃棄物を投棄・埋立して埋立処分場を造るには、有害物質が処分場の外に拡散・流出するのを防ぐために遮水シートを敷設する必要がある。この遮水シートの敷設は一枚ではできないため、複数の遮水シートを接合して行っていた。従来の遮水シートの敷設方法としては、特開２００２−１２６６８３号公報の発明が開示されている。この敷設方法においては、フローターまたは錘体としての収容体を長さ方向に沿って一体的に取り付たけ遮水シートを使用している。
【０００３】
【発明が解決しようとする課題】
しかし、上記の敷設方法は遮水シートを海面に浮かせたとき、図１４に示すように、遮水シート１８が弛むため、まっすぐに伸ばした状態での接合および敷設作業をすることが困難であった。
【０００４】
本発明は上記のような問題に鑑みてなされたものであり、その目的は、まっすぐに伸ばした状態での接合および敷設作業をすることができる遮水シートおよびその敷設方法を提供することである。
【０００５】
【課題を解決するための手段】
以上の課題を解決するための本発明の遮水シートの要旨は、シート本体の上面に幅方向へ沿って伸びた浮体が吊り下げ具で取外自在に取り付けられ、前記の浮体はシート本体の長さ方向に適宜間隔ごとに取り付けられたことを特徴とする構成であり、前記の吊り下げ具はシート本体から上方へ向かって外側に傾斜したことを含むものである。
遮水シートを水に浮かせた場合、シート本体が浮体からの吊り下げ具で吊り下げられると、吊り下げ具間のシートに張力が働くので、まっすぐに伸ばした状態で浮かせることができる。特に、浮体の設置間隔を小さくしたり、各浮体間に吊り下げ具で玉ブイを設けると、吊り下げ間隔が小さくなって、遮水シートがまっすぐに伸ばされた状態になる。
また吊り下げ具をシート本体から上方へ向かって外側に傾斜させると、シート本体に外側方向へ伸びる力が働くため、遮水シートをまっすぐに伸ばすことができる。
【０００６】
また遮水シートの敷設方法の要旨は、シート本体の上面に幅方向へ沿って伸びた浮体を吊り下げ具で取外自在に取り付けて遮水シートを形成し、この遮水シートを複数水に浮かせた後、隣接する遮水シートの長さ方向の端縁間に台船を浮かせ、該台船を傾斜させて一方の長辺側を水中に沈めて、その上面に一方の遮水シートの長さ方向の端部を引き上げるとともに、前記とは反対側に台船を傾斜させて他方の長辺側を水中に沈めて、その上面に他方の遮水シートの長さ方向の端部を引き上げた後、台船上でこれらの遮水シート同士を接合し、この接合した遮水シートを沈設することを特徴とする構成であり、吊り下げ具はシート本体から上方へ向かって外側に傾斜したことを含むものである。
遮水シートがまっすぐに伸びた状態で浮いているため、遮水シートの長さ方向の端部を簡単に台船上へ引き上げることができ、その接合作業も短時間でできるようになる。また、接合された複数の遮水シートが、まっすぐに伸びた状態で沈設されて海底に敷設される。
さらに吊り下げ具をシート本体から上方へ向かって外側に傾斜させると、シート本体に外側方向へ伸びる力が大きく働く。
【０００７】
【発明の実施の形態】
以下、本発明の遮水シートおよびその敷設方法の実施の形態を図面に基づいて説明する。この遮水シートは、海面を埋立護岸で所定の大きさに区切った領域に廃棄物を投棄・埋立する海面埋立処分場（以下、海面埋立処分場という）の海底に敷設するものである。はじめに、この遮水シートについて説明し、その後に、これを使用した敷設方法について説明する。また各実施の形態において同じ構成は同じ符号を付して説明し、異なった構成にのみ異なった符号を付して説明する。
【０００８】
図１は第１の実施の形態の遮水シート１を示したものである。この遮水シート１はシート本体２と、このシート本体２の幅方向に沿い、かつ長さ方向に適宜間隔ごとに設けられた浮体３と、これらの浮体３間に設置された玉ブイ４とにより構成されている。
【０００９】
シート本体２はゴム材料や樹脂材料あるいは熱可塑性エラストマーなどの材料により１〜５ｍｍ程度の厚さに形成されたものであり、上面の縦横方向に適宜間隔をもってフック５が設けられ、これにロープなどの吊り下げ具６で浮体３と玉ブイ４とが取外自在に取り付けられている。
【００１０】
一方、浮体３は、径が２００〜３００ｍｍ程度の樹脂ホース７の両端に止め栓８が嵌入・固定されて形成され、樹脂ホース７を巻くようにして吊りバンド９が適宜間隔ごとに接着剤、接着テープ、面ファスナーで接着または堅固に結束されている。この浮体３に給気管１０から空気が注入されると、フローターとしての機能の他に、剛性の支持材（例えば塩化ビニル管など）としての機能も発揮するため、シート本体２がまっすぐに伸びるようになる。これは吊り下げ間隔ａが変わらない吊り下げ具６によって、吊り下げ具間のシート２ａを緊張させて弛みにくくするためである。したがって、吊り下げ具６の吊り下げ間隔ａ、ｂを全く変えないようにする（例えば、吊り下げ具６を棒材にして、浮体３へ剛接合する）と、シート本体２がまっすぐに伸びるようになる。
【００１１】
図４は第２の実施の形態の遮水シート１２を示したものである。この遮水シート１２は、両端側の吊り下げ具６がシート本体２から浮体３へ向かって外側に傾斜したものであり、これ以外は第１の実施の形態の遮水シート１と同じ構成である。このように両端側の吊り下げ具６を傾斜させると、シート本体２に外側へ伸びる力が働くようになる。
【００１２】
また図５は第３の実施の形態の遮水シート１３を示したものである。この遮水シート１３は、浮体３の中央部から左右両端側に位置した吊り下げ具６を、シート本体２から浮体３に向かってそれぞれ外側に傾斜させたものであり、これ以外は第１の実施の形態の遮水シート１と同じ構成である。このように左右両端側の吊り下げ具６をそれぞれ反対方向に傾斜させると、シート本体２を外側へ伸ばす力が大きくなる。
【００１３】
また、上記の実施の形態の遮水シートは、すべて浮体３と玉ブイ４との組み合わせで構成したものであるが、浮体３のみを設けた遮水シートや、浮体３を格子状に設けた遮水シートにすることもできる。
【００１４】
次に、第１の実施の形態の遮水シートの海面埋立処分場への敷設方法、すなわち第１の実施の形態の遮水シート１を使用した敷設方法について説明する。これは一枚の遮水シートではできないため、海中に浮かべた複数の遮水シートを台船上で接合してから沈設するものである。したがって、上記の遮水シートも工場または現場における製作ヤードで製作するものであり、本実施の形態においては現場で製作する場合について説明する。
【００１５】
はじめに、図６の（１）に示すように、シート本体２を準備し、この上面にフック５を縦横方向に適宜間隔をもって熱溶着、接着剤、接着テープまたは面ファスナーで取り付ける。次に、同図の（２）に示すように、径が２００〜３００ｍｍ程度の樹脂ホース７の両端に止め栓８を嵌入・固定するとともに、樹脂ホース７を巻くようにして吊りバンド９を取り付けて浮体３を形成する。次に、同図の（３）に示すように、吊りバンドに結束した吊り下げ具６をフック５に結束すると、浮体３がシート本体２に取外自在に取り付けられる。そして、この浮体３間におけるフック５に玉ブイ４を吊り下げ具６で取外自在に取り付けて、遮水シート１を完成させる（図７参照）。次いで、給気管１０からコンプレッサ１１で空気を注入して、浮体３を膨らませる。
【００１６】
次に、図８に示すように、海面埋立処分場１４の海中１５へ複数の遮水シート１を引き入れると、これが浮体３や玉ブイ４によってまっすぐに伸びた状態で浮かぶ。次に、図９の（１）に示すように、これらの遮水シート１の間に台船１６を浮かべ、この上で遮水シート１の長さ方向の端縁同士を接合する。
【００１７】
この接合方法は、同図の（２）に示すように、一方の長辺側が水中に沈むように台船１６を傾斜させて、その上面に一方の遮水シート１の長さ方向の端部を引き上げる。次に、同図の（３）に示すように、他方の長辺側が水中に沈むように台船１６を傾斜させて、その上面に他方の遮水シート１の長さ方向の端部を引き上げて、これらの端部同士をつき合わせる。次に、図１０に示すように、つき合わされた端部同士を接着テープ１７で接合する。この接合は接着テープ１７の他に熱溶着または接着剤で行うことができる。この方法で遮水シート１の端部同士を先端側から後端側にかけて順次接合してゆき、すべてを接合した後に、後部側が水中に沈むように台船１６を傾斜させて、接合された遮水シートを海中に戻す（図１１参照）。このような方法で複数の遮水シートの接合を順次行って所定の大きさのものを製造する。このようにまっすぐに伸びた遮水シート１の接合作業は簡単かつ迅速に行える。
【００１８】
次に、この所定の大きさの遮水シート上に錘を載せて、浮体３および玉ブイ４をフック５から取り外すと（図示せず）、遮水シートが沈んで海底に敷設される。また遮水シートから取り外した浮体３および玉ブイ４は他に転用し、転用しない浮体３は水などを注入して錘体として使用することもできる。
【００１９】
このように所定の大きさの遮水シートを沈める方法は、前記にように浮体３をフック５から取り外すのではなく、浮体３内の空気を抜くことによって沈めることもできる。さらに、沈めた後に遮水シートの敷設状態を修正する場合は、海中の浮体３に空気を再注入して遮水シートを浮上させ、調整した後に、再び沈めることもできる。そして、遮水シートを再沈設させた後に、潜水夫が浮体３（玉ブイ４は沈設前に取り外しておく）を取り外して他に転用する。また浮体３内の空気を抜く他にも、浮体３内に水を入れて遮水シートを沈めることもでき、沈めた後の浮体３の取り外しは、前記と同じ方法で行うものとする。
【００２０】
次に、第２の実施の形態の遮水シートの敷設方法について説明する。これも上記のように第１の実施の形態の遮水シート１を使用するものであり、上記のように台船１６で遮水シート１同士を接合するのではなく、製作ヤードで遮水シート１同士を接合して所定の大きさのものを製作し、これを海面埋立処分場１４の海中１５へ引き入れるものである。
これは、図１２の（１）に示すように、遮水シート１同士を接着テープ１７または熱溶着ならびに接着剤で接合して所定の大きさの遮水シートを製作し、この遮水シートの浮体３に空気を注入する。そして、この浮体３における各吊り下げ具６の吊り下げ間隔ａを変えないように（例えば、各吊り下げ具６を棒材にして、浮体３へ剛接合する）して、シート本体２がまっすぐに伸びるようにする。なお、浮体３の両端部のみの吊り下げ具６を棒材にして剛接合することにより、これらの吊り下げ具６の吊り下げ間隔ｂを変えないようにすることもできる。
このような所定の大きさの遮水シートを、海面埋立処分場１４の海中１５へ引き入れると、シート本体２をまっすぐに伸ばした状態で浮かせることができる。
そして、この後は、第１の実施の形態の遮水シートの敷設方法と同じ方法で沈設して海底に敷設するものである。
【００２１】
また第１および第２の実施の形態の遮水シートの敷設方法は、いずれも第１の実施の形態の遮水シート１を使用したが、第２および第３の遮水シート１２、１３を使用する場合も、上記と同じ方法で行うものとする。すなわち、図１３に示したように、遮水シート１２（または遮水シート１３）同士を接着テープ１７で接合したものは、傾斜した吊り下げ具６によってシート本体２が両端側に引っ張られるので、まっすぐに伸ばした状態で海中に浮かせて沈設作業をすることができる。
また上記の遮水シート１、１２、１３は、いずれも浮体３と玉ブイ４との組み合わせで構成したものであるが、浮体３のみを設けた遮水シートや、浮体３を格子状に設けた遮水シートを使用して敷設することもできる。
さらに、上記の埋立処分場は海面埋立処分場を対象にしたが、湖沼の埋立処分場を対象にすることもできる。
【００２２】
【発明の効果】
遮水シートをまっすぐに伸ばした状態で水に浮かせることができる。
【００２３】
遮水シートがまっすぐに伸びた状態でで浮いているため、遮水シートの長さ方向の端部を簡単に台船へ引き上げることができ、その接合作業も短時間にできるようになる。
【図面の簡単な説明】
【図１】第１の実施の形態の遮水シートの斜視図である。
【図２】（１）は浮体の端部の断面図、（２）は（１）のＡ−Ａ線断面図である。
【図３】第１の実施の形態の遮水シートの正面図である。
【図４】第２の実施の形態の遮水シートの正面図である。
【図５】第３の実施の形態の遮水シートの正面図である。
【図６】（１）〜（３）は遮水シートの製作方法を示す斜視図である。
【図７】第１の実施の形態の遮水シートの概念図である。
【図８】複数の遮水シートを海中に引き込む状態の斜視図である。
【図９】遮水シートの端部を接合する方法を示し、（１）は遮水シート間に台船を浮かべた斜視図、（２）は台船を一方向に傾斜させた断面図、（３）は台船を（２）とは反対方向に傾斜させた断面図である。
【図１０】（１）は遮水シートの端部同士を台船上で接合する方法の斜視図、（２）は同断面図である。
【図１１】（１）は台船から遮水シートを海中に沈める斜視図、（２）は同断面図である。
【図１２】（１）および（２）は第２の遮水シートの敷設方法を示す図である。
【図１３】（１）および（２）は他の遮水シートの敷設方法を示す図である。
【図１４】従来の遮水シートの敷設方法を示す斜視図である。
【符号の説明】
１、１２、１３、１８　遮水シート
２　シート本体
３　浮体
４　玉ブイ
５　フック
６　吊り下げ具
７　樹脂ホース
８　止め栓
９　吊りバンド
１０　給気管
１１　コンプレッサ
１４　海面埋立処分場
１５　海中
１６　台船
１７　接着テープ
【図１】
2004097960.tif 000003
【図２】
2004097960.tif 000004
【図３】
2004097960.tif 000005
【図４】
2004097960.tif 000006
【図５】
2004097960.tif 000007
【図６】
2004097960.tif 000008
【図７】
2004097960.tif 000009
【図８】
2004097960.tif 000010
【図９】
2004097960.tif 000011
【図１０】
2004097960.tif 000012
【図１１】
2004097960.tif 000013
【図１２】
2004097960.tif 000014
【図１３】
2004097960.tif 000015
【図１４】
2004097960.tif 000016